(57)【要約】【課題】例えばＭＬＯ撮影において、患者は上腕を持ち上げるために必要な力を低減するマンモグラフィ装置を提供すること。【解決手段】本実施形態に係るマンモグラフィ装置は、支柱ユニットと、回動撮影ユニットと、アームレストと、凸部とを具備する。回動撮影ユニットは、支柱ユニットに対して回動可能に設けられ、Ｘ線管と、Ｘ線検出器と、被検体の乳房を載せるための撮影台と、を有する。アームレストは、回動撮影ユニットの左右側面において高さ方向に形成されている。凸部は、撮影台の左右側面のそれぞれにおいて、当該撮影台の幅方向に突出している。【選択図】図１
2018138145.tif 000002
【特許請求の範囲】
【請求項１】
支柱ユニットと、
前記支柱ユニットに対して回動可能に設けられ、Ｘ線管と、Ｘ線検出器と、被検体の乳房を載せるための撮影台と、を有する回動撮影ユニットと、
前記回動撮影ユニットの左右側面において高さ方向に形成されたアームレストと、
前記撮影台の左右側面のそれぞれにおいて、当該撮影台の幅方向に突出する凸部と、
を具備するマンモグラフィ装置。
【請求項２】
前記凸部は、前記撮影台の左右側面のそれぞれから前記撮影台の幅方向に広がる裾広がりに形成され、前記被検体の上腕を支えるための支持面を有する請求項１記載のマンモグラフィ装置。
【請求項３】
前記支持面は、前記撮影台側面から連続的になだらかな曲線を描くように連続的に形成されている請求項２記載のマンモグラフィ装置。
【請求項４】
前記支持面は、前記撮影台の手前側から奥側に向かって下方に傾斜することを特徴とする請求項２又は３記載のマンモグラフィ装置。
【請求項５】
前記凸部は、前記撮影台の前記各側面の手前側端より前記撮影台の奥側に所定距離離れた位置から前記奥側の所定位置に亘って形成されている請求項１乃至４のうちいずれか一項記載のマンモグラフィ装置。
【請求項６】
前記凸部は、前記撮影台の各側面の所定位置から奥側に向かって前記幅方向の突出量が滑らかに小さくなるように形成されている請求項１乃至５のうちいずれか一項記載のマンモグラフィ装置。
【請求項７】
前記凸部は、前記撮影台の各側面の手前側より奥側の所定位置に向かって前記幅方向の突出量が滑らかに大きくように形成されている請求項１乃至６のうちいずれか一項記載のマンモグラフィ装置。
【請求項８】
前記凸部は、前記アームレストの下側且つ前記撮影台の奥側の領域において、前記撮影台の幅方向の突出量を所定値以下或いはゼロとなるように形成されている請求項１乃至７のうちいずれか一項記載のマンモグラフィ装置。
【発明の詳細な説明】
【技術分野】
【０００１】
本発明の実施形態は、マンモグラフィ装置に関する。
【背景技術】
【０００２】
マンモグラフィ装置は、撮影台上に載置した乳房を圧迫板で圧迫して、乳腺を押し広げ、１方向からの２次元画像収集を行う乳房専用レントゲン撮影装置である。乳房の中にある乳腺は、立体的に分岐した先に小葉がつながる構造であるため、そのまま撮影しただけでは乳腺の重なりが多く、正確な評価ができない。そのため乳房を圧迫して薄く引き延ばすことで、乳腺の重なりを少なくし、且つより低い線量によるＸ線撮影を可能としている。
【０００３】
マンモグラフィ装置による撮影時には、撮影対象としての乳房を身体とともにマンモグラフィ装置に対して動かないように固定しなければならない。そのために従来のマンモグラフィ装置の回動撮影ユニットの左右側面に、アームレストと呼ばれる、患者が手で掴むための部分を設けている。患者は、アームレストを利用して自身の胸部を撮影台に引きつけ、乳房とともにマンモグラフィ装置に対してしっかり固定することができる。
【０００４】
特に、マンモグラフィ装置を用いた画像診断において、ＣＣ（Ｃｒａｎｉｏ−Ｃａｕｄａｌ：頭尾方向）撮影のみならず、ＭＬＯ（Ｍｅｄｉｏ−Ｌａｔｅｒａｌ−Ｏｂｌｉｑｕｅ：内外斜位方向）撮影を行う場合がある。係るＭＬＯ撮影では、乳房だけでなく、大胸筋もイメージングできるような被検体（患者）のポジショニングを行うため、圧迫板により、乳房だけでなく大胸筋も圧迫する必要がある。近年では、握るという動作によるのではなく、その辺縁に指先を引っ掛けるという動作により、患者の胸部を撮影台に引きつけて固定するためのアームレストが開発されている。これにより、手で棒状の物を握らなくなったので腕の力を抜けるようになり、結果的に腕筋や大胸筋の緊張をできるだけ防止しながら、ポジショニングによる痛みを軽減できている。
【先行技術文献】
【特許文献】
【０００５】
【特許文献１】特許第５１９６７９０号公報
【非特許文献】
【０００６】
【非特許文献１】Government consumer safety research著、「Adultdata: the Handbook of Adult Anthropometric and Strength Measurements」、Data for Design Safety社1998
【発明の概要】
【発明が解決しようとする課題】
【０００７】
しかしながら、従来のマンモグラフィ装置では、上記アームレストにより、握力に起因した大胸筋の緊張を和らげることはできたが、上腕を持ち上げるために必要な腕の力は軽減できていない。例えば、右乳房のＭＬＯ撮影でのポジショニングの場合、斜めに傾いた回動撮影ユニット側面に右腕を載置し、当該回動撮影ユニット側面から下に滑り落ちないように維持していなければならない。すなわち、患者は、ＭＬＯ撮影の間、自重によって下に落ちる腕に逆らう方向に力を入れ続けなければならず、上腕に力を入れざるを得ない。その結果、緊張や痛みを伴う撮影となり、患者に対し負担を強いることになっている。
【０００８】
上記事情に鑑み、本実施形態は、例えばＭＬＯ撮影において、患者は上腕を持ち上げるために必要な力を低減するマンモグラフィ装置を提供することを目的とする。
【０００９】
本実施形態に係るマンモグラフィ装置は、支柱ユニットと、回動撮影ユニットと、アームレストと、凸部とを具備する。回動撮影ユニットは、支柱ユニットに対して回動可能に設けられ、Ｘ線管と、Ｘ線検出器と、被検体の乳房を載せるための撮影台と、を有する。アームレストは、回動撮影ユニットの左右側面において高さ方向に形成されている。凸部は、撮影台の左右側面のそれぞれにおいて、当該撮影台の幅方向に突出している。
【図面の簡単な説明】
【００１０】
【図１】図１は、本実施形態に係るマンモグラフィ装置１の外観図である。
【図２】図２は、図１に示したマンモグラフィ装置１を側面から見た図である。
【図３】図３は、図１に示したマンモグラフィ装置１を正面から見た図である。
【図４】図４は、マンモグラフィ装置１の回動撮影ユニット下部３２を含む領域の拡大図であり、左上腕支持部３２２Ｌを説明するための図である。
【図５Ａ】図５Ａは、右上腕支持部３２２Ｒを正面から見た拡大図である。
【図５Ｂ】図５Ｂは、右上腕の断面を円柱形状にモデル化した図を示している。
【図６】図６は、右上腕支持部３２２Ｒを回動撮影ユニット上部３０の上から見た拡大図である。
【図７】図７は、ＭＬＯ撮影時におけるマンモグラフィ装置１の姿勢の一例を示した外観図である。
【図８】図８は、図７の状態にあるマンモグラフィ装置１の側面図である。
【図９】図９は、図７の状態にあるマンモグラフィ装置１の左斜め前方から見た外観図である。
【図１０】図１０は、図７の状態にあるマンモグラフィ装置１を右斜め後方から見た外観図である。
【図１１】図１１は、マンモグラフィ装置１を用いた右乳房のＭＬＯ撮影でのポジショニングを示した図である。
【発明を実施するための形態】
【００１１】
以下、本実施形態を図面に従って説明する。なお、以下の説明において、略同一の機能及び構成を有する構成要素については、同一符号を付し、重複説明は必要な場合にのみ行う。
【００１２】
図１は、本実施形態に係るマンモグラフィ装置１の外観図である。図２は、図１に示したマンモグラフィ装置１を側面から見た図である。図３は、図１に示したマンモグラフィ装置１を正面から見た図である。
【００１３】
図１、図２、図３に示す様に、マンモグラフィ装置１は、支柱ユニット（スタンド）２、回動撮影ユニット３、回動軸４を具備している。
【００１４】
支柱ユニット２は、台座２０、第１支柱部２２、第２支柱部２４を有している。第１支柱部２２は、台座２０に支持されると共に、第２支柱部２４を支持する。第１支柱部２２及び第２支柱部２４の内部には、第１支柱部２２に対して第２支柱部２４を上下させるための上下移動機構、駆動部が収容されている。撮影時においては、当該上下移動機構により、患者の身長に合わせて第２支柱部２４の高さが調整される。また、第２支柱部２４の内部には、回動軸４を回動させるための回動機構、駆動部が収容されている。例えばＭＬＯ撮影やトモシセシス撮影においては、当該回動機構により、回動軸４を介して支柱ユニット２に接続された回動撮影ユニット３が、回動軸４の周りに回動する。
【００１５】
回動撮影ユニット３は、回動撮影ユニット上部３０と、当該回動撮影ユニット上部３０と一定距離離間する回動撮影ユニット下部３２と、回動撮影ユニット上部３０と回動撮影ユニット下部３２との間に位置する回動撮影ユニット中間部３４と、によって構成される。
【００１６】
回動撮影ユニット上部３０は、その一端にＸ線管３００を収容する。Ｘ線管３００は、支柱ユニット２の内部に設けられた高電圧発生器（図示せず）から印加される電圧、フィラメントに供給される電流に基づいて、Ｘ線を発生する。
【００１７】
回動撮影ユニット下部３２は、撮影台３２０、Ｘ線検出器３２１、右上腕支持部３２２Ｒ、左上腕支持部３２２Ｌを有する。撮影台３２０は、回動撮影ユニット上部３０のＸ線管３００と対向して設けられ、患者の乳房を載置するための平らな領域を有する。Ｘ線検出器３２１は、Ｘ線を検出する固体撮像素子が二次元に配列された検出器（Ｆｌａｔ  Ｐａｎｅｌ  Ｄｅｔｅｃｔｏｒ：ＦＰＤ）であり、撮影台３２０に載置された乳房を透過したＸ線を検出する。なお、Ｘ線検出器３２１はＦＰＤの例に拘泥されず、例えばフィルムカセッテ、ＣＲカセッテを用いるようにしてもよい。
【００１８】
右上腕支持部３２２Ｒ、左上腕支持部３２２Ｌは、撮影台３２０を間に挟んで左右対称に設けられた突出部である。右上腕支持部３２２Ｒは、撮影台３２０の向かって右側面から幅方向に突出しており、ＭＬＯ撮影等において、患者の右上腕を載置或いは支持するための突出部（凸部）である。左上腕支持部３２２Ｌは、撮影台３２０の向かって左側面から幅方向に突出しており、ＭＬＯ撮影等において、患者の左上腕を載置するための突出部（凸部）である。当該右上腕支持部３２２Ｒ、左上腕支持部３２２Ｌの詳細な構造、及びこれらによって実現される上腕支持機能については、後で詳しく説明する。
【００１９】
回動撮影ユニット中間部３４は、圧迫板３４１とその移動機構と移動駆動部とからなる圧迫機構３４０、右前腕支持部３４２Ｒ、左前腕支持部３４２Ｌ、操作パネル３４３を有する。圧迫機構３４０は、圧迫板３４１を、撮影台３２０と平行状態を維持したまま撮影台３２０に近接／離反する方向に移動させる。圧迫板３４１は、撮影台３２０との間で患者の乳房を圧迫する。操作パネル３４３は、圧迫板３４１の上下移動、回動撮影ユニット３の回動に関する指示を入力するための入力装置である。
【００２０】
右前腕支持部３４２Ｒは、回動撮影ユニット中間部３４の向かって右側面において高さ方向に沿って形成されたアームレストである。右前腕支持部３４２Ｒは、右手中指、薬指等の第二関節までをその辺縁に引っ掛ける等の動作により、ＭＬＯ撮影において患者右前腕を支持する。同じく、左前腕支持部３４２Ｌは、回動撮影ユニット中間部３４の向かって左側面において高さ方向に沿って形成されたアームレストである。左前腕支持部３４２Ｌは、左手中指、薬指等の第二関節までをその辺縁に引っ掛ける等の動作により、ＭＬＯ撮影において患者左前腕を支持する。
【００２１】
なお、右前腕支持部３４２Ｒ及び左前腕支持部３４２Ｌは、患者により指が掛けられる部分が高さ方向に沿っていればよく、これらを構成する部材全体が高さ方向に沿っている必要はない。
【００２２】
（右上腕支持部３２２Ｒ、左上腕支持部３２２Ｌの構造）
次に、右上腕支持部３２２Ｒ、左上腕支持部３２２Ｌの構造の構造について、詳しく説明する。なお、右上腕支持部３２２Ｒ、左上腕支持部３２２Ｌは、左右の違い以外は、実質的に同一の構成を有する。従って、以下の説明における右上腕支持部３２２Ｒに関する説明は左上腕支持部３２２Ｌにも当てはまり、左上腕支持部３２２Ｌに関する説明は右上腕支持部３２２Ｒにも当てはまる。
【００２３】
図４は、マンモグラフィ装置１の回動撮影ユニット下部３２を含む領域の拡大図であり、右上腕支持部３２２Ｒを説明するための図である。図５Ａは、右上腕支持部３２２Ｒを正面から見た拡大図である。各図に示す様に、右上腕支持部３２２Ｒは、撮影台３２０の側面から当該撮影台の幅方向に突出し、奥行方向に向かって広がる裾広がり形状を有しており、患者の上腕を支えるための支持面を形成している。右上腕支持部３２２Ｒによって形成される支持面は、撮影台３２０の幅方向に沿って、撮影台３２０の側面の所定位置から突出し連続的になだらかな曲線を描くように連続的に形成されている。また、右上腕支持部３２２Ｒによって形成される支持面は、撮影台３２０の奥行方向に沿って、撮影台３２０の正面（手前側）から背面奥側に向かってやや下方に連続手に傾斜しながら、右前腕支持部３４２Ｒの鉛直下方の一端の近傍に亘り形成されている。これは、肩から上腕、肘に亘る人間の骨格形状に対応させたものであり、患者は、ＭＬＯ撮影において、リラックスした状態で右上腕支持部３２２Ｒに載置することができる。
【００２４】
右上腕支持部３２２Ｒは、例えばＭＬＯ撮影時において、持ち上げるための力を必要としない程度に、患者の上腕を支持するものであり、換言すれば、その目的以上に患者の上腕を拘束する必要はない。そして、必要以上に右上腕支持部３２２Ｒが突出するようにすると、患者が撮影台３２０の側面に上腕を載せたり下ろしたりする際に邪魔となってしまう。そのため右上腕支持部３２２Ｒが撮影台３２０の側面から幅方向に突出する長さ（突出量）Ｗは、及び患者（女性）の体格等を基準として、１１．８ｍｍ以上、４０．３ｍｍ以下とすることができる。これは、図５Ｂの様に右上腕の断面を円柱形状にモデル化した場合において、日本における成人女性の平均上腕囲２５３．２ｍｍに対して算出される腕の直径８０．６ｍｍ（非特許文献１参照）の（２−２１／２）／４以上、１／２以下の範囲に相当する。（２−２１／２）／４という割合は、患者の右上腕表面のうち、撮影台３２０の側面において右上腕支持部３２２Ｒの上側の垂直面ＲＲ３（図４、図５Ａ参照）に接する点に対して、４５度の角度となる点の高さに相当する。すなわち、右上腕支持部３２２Ｒの突出量Ｗが上腕の直径に対して（２−２１／２）／４以上であれば、右上腕支持部３２２Ｒは、自重によって撮影台３２０の側面を滑り落ちようとする右上腕に対して、これを支える向きの力を加えることができる。一方、右上腕支持部３２２Ｒの突出量Ｗが上腕の直径に対して１／２以下であれば、患者が撮影台３２０の側面に上腕を載せたり下ろしたりする際に邪魔にならない。
【００２５】
なお、中国における成人女性の平均上腕囲は２５０．７ｍｍであるため（非特許文献１参照）、中国においては、これに基づき、右上腕支持部３２２Ｒの突出量Ｗを１１．７ｍｍ以上、３９．８ｍｍ以下とすることができる。また、米国における成人女性の平均上腕囲は、３０５．７ｍｍであるため（非特許文献１参照）、米国においては、これに基づき、右上腕支持部３２２Ｒの突出量Ｗを１４．２ｍｍ以上、４８．７ｍｍ以下とすることができる。
【００２６】
なお、ここで、「上腕囲」とは、上腕をまっすぐ伸ばしてリラックスさせた状態において上腕の中点で測った周囲長をいうものとする。
【００２７】
図６は、右上腕支持部３２２Ｒを回動撮影ユニット上部３０の上から見た拡大図である。各図に示す様に、右上腕支持部３２２Ｒの凸形状は、撮影台３２０の右側面の手前側端（位置Ａ）より撮影台３２０の奥側に所定距離離れた位置Ｂから、撮影台３２０の奥側に亘って、右前腕支持部３４２Ｒの鉛直下方の一端の近傍の位置Ｄに亘って形成されている。その結果、撮影台３２０側面の正面側（患者側）において、第１のクリアランス領域ＲＲ１が形成されている。
【００２８】
一般に、ＭＬＯ撮影時においては、大胸筋の上部にある腋窩をマンモグラフィによって描出できるようなポジショニングが要求される。本実施形態に係るマンモグラフィ装置１では、患者は、右上腕支持部３２２Ｒに妨害されずに身体を第1のクリアランス領域ＲＲ１に押し付けることができる。
【００２９】
ここで、第１のクリアランス領域ＲＲ１の大きさ、すなわち撮影台３２０の右側面の手前側端（位置Ａ）から撮影台の奥側に所定距離離れた位置Ｂまでの距離Ｄ１は、ＭＬＯ撮影時において右上腕支持部３２２Ｒが腋窩描出の妨げとならないという目的を達成できるのであれば、特に限定はない。例えば、上記目的、及び患者（女性）の体格等を基準として、距離Ｄ１を３１．３ｍｍ以上、３１３．３ｍｍ以下とすることができる。これは、日本における成人女性の平均肩峰・肘頭距離３１３．３ｍｍ（非特許文献１参照）の１／１０以上、１以下に相当する。距離Ｄ１を肩峰・肘頭距離３１３．３ｍｍの１／１０以上設けていれば、通常、右上腕支持部３２２Ｒが腋窩描出の妨げとならない。また、距離Ｄ１を肩峰・肘頭距離３１３．３ｍｍ以下とすれば、右上腕を右上腕支持部３２２Ｒを支えることが可能となる。
【００３０】
なお、中国における成人女性の平均肩峰・肘頭距離は３１４．９ｍｍであるため（非特許文献１参照）、中国においては、これに基づき、Ｄ１を３１．５ｍｍ以上、３１４．９ｍｍ以下とすることができる。また、米国における成人女性の平均肩峰・肘頭距離は３４３．０ｍｍであるため（非特許文献１参照）、米国においては、これに基づき、Ｄ１を３４．３ｍｍ以上、３４３．０ｍｍ以下とすることができる。
【００３１】
なお、ここで、「肩峰・肘頭距離」とは、手掌を内側に向け前腕が水平になるように肘を直角に曲げたときの肩峰点から肘の骨の下端までの鉛直距離をいうものとする。
【００３２】
また、図４、図６に示す様に右上腕支持部３２２Ｒの突出形状は、撮影台の右側面において、位置Ｂから位置Ｃに亘って（すなわち距離Ｄ２に亘って）幅方向の突出量が滑らかに大きくなり、位置Ｃから位置Ｄに亘って（すなわち距離Ｄ３に亘って）幅方向の突出量が滑らかに小さくなるように、形成されている。右上腕支持部３２２Ｒの当該構成により、持ち上げるための力を必要としない程度に、患者の上腕を必要最小限に支持することができ、当該上腕支持による患者への拘束感、心理的負担を低減させることができる。なお、必須の構成ではないが、日本においては、撮影台の手前端から、右上腕支持部３２２Ｒの突出形状の幅方向の突出量が最大となるまでの距離Ｄ１＋Ｄ２を３１３．３ｍｍ以下とすることが好ましい。３１３．３ｍｍという長さは、上述したように、日本における成人女性の平均肩峰・肘頭距離であり、Ｄ１＋Ｄ２を３１３．３ｍｍ以下とすることにより、右上腕支持部３２２Ｒを、ＭＬＯにおいて平均的な日本人女性の上腕を効率よく支えられるような形状とすることができる。
【００３３】
なお、中国における成人女性の平均肩峰・肘頭距離は３１４．９ｍｍであるため、中国においては、これに基づき、Ｄ１＋Ｄ２を３１４．９ｍｍ以下とすることが好ましい。また、米国における成人女性の平均肩峰・肘頭距離は３４３．０ｍｍであるため、米国においては、これに基づき、Ｄ１＋Ｄ２を３４３．０ｍｍ以下とすることが好ましい。
【００３４】
さらに、右上腕支持部３２２Ｒの凸形状領域は、図４、図６等に示す様に、右前腕支持部３４２Ｒの鉛直方向下側且つ撮影台３２０側面の奥側の領域において、当該撮影台３２０の幅方向の突出量を所定値以下或いはゼロとなるように形成されている。その結果、右前腕支持部３４２Ｒの鉛直方向下側且つ撮影台３２０側面の奥側において、第２のクリアランス領域ＲＲ２が形成される。この第２のクリアランス領域ＲＲ２により、例えばＭＬＯ撮影時において、患者が乳房を撮影台３２０に載置し、右前腕支持部３４２Ｒに指を引っ掛け、右上腕支持部３２２Ｒの支持面に上腕を載置した場合に、当該患者の肘を含む領域は、第２のクリアランス領域ＲＲ２において解放された状態となる。その結果、平均的な体格より上腕が長い患者に対する検査において、上腕の長さとマンモグラフィ装置１の奥行き方向の寸法のとの間に不一致が生じても、第２のクリアランス領域ＲＲ２において平仄を合わせることができる。さらに、患者への拘束感、心理的負担を低減させることもできる。
【００３５】
（右上腕支持部３２２Ｒ、左上腕支持部３２２Ｌによる上腕支持機能）
次に、右上腕支持部３２２Ｒ、左上腕支持部３２２Ｌによる上腕支持機能について説明する。図７は、ＭＬＯ撮影時におけるマンモグラフィ装置１の姿勢の一例を示した外観図である。図８は、図７の状態にあるマンモグラフィ装置１の側面図である。図９は、図７の状態にあるマンモグラフィ装置１の左斜め前方から見た外観図である。図１０は、図７の状態にあるマンモグラフィ装置１を右斜め後方から見た外観図である。また、図１１は、マンモグラフィ装置１を用いた右乳房のＭＬＯ撮影での患者のポジショニングを示した図である。
【００３６】
各図からわかる様に、ＭＬＯ撮影時において、患者は、右乳房を撮影台３２０と圧迫板３４１とによって挟まれた状態で、右手中指、薬指等の第二関節までを右前腕支持部３４２Ｒの辺縁に引っ掛け、右腕手首を右前腕支持部３４２Ｒに載せ、右上腕支持部３２２Ｒに右上腕を載置した姿勢を取る。このとき、患者は、右上腕を右上腕支持部３２２Ｒに預けることができ、右上腕に力を入れる必要がない。特に、右前腕支持部３４２Ｒは、患者の上腕を軽く支える構成となっており、必要以上に拘束しない。従って、ＭＬＯ撮影時における患者の緊張や痛みを緩和することができる。
【００３７】
また、本マンモグラフィ装置１の撮影台３２０の右側面の正面側は第１のクリアランス領域ＲＲ１となっており、右前腕支持部３４２Ｒが形成されていない。このため、ＭＬＯ撮影時において、患者は、図１１に示す様に第１のクリアランス領域ＲＲ１が当該患者のわきの下の入り込む姿勢を取ることができる。その結果、右上腕支持部３２２Ｒによって妨げることなく、腋窩を含む被撮影領域を撮影台３２０に負担なく載置し、当該被撮影領域に関するマンモグラフィを撮影することができる。
【００３８】
また、右前腕支持部３４２Ｒの鉛直方向下側且つ撮影台３２０側面の奥側において、第２のクリアランス領域ＲＲ２が形成されている。ＭＬＯ撮影において患者が図１１に示した姿勢を取った場合、当該患者の右肘は第２のクリアランス領域ＲＲ２に位置し、右上腕支持部３２２Ｒに支持されずに開放された状態となる。これにより、平均的な体格より上腕が長い患者に対する検査において、上腕の長さとマンモグラフィ装置１の奥行き方向の寸法のとの間に不一致が生じても、第２のクリアランス領域ＲＲ２において平仄を合わせることができる。さらに、患者への拘束感、心理的負担を緩和させることもできる。
【００３９】
以上述べた本実施形態に係るマンモグラフィ装置によれば、例えばＭＬＯ撮影において、患者は上腕を持ち上げるために必要な力を低減することができる。
【００４０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４１】
１…マンモグラフィ装置、２…支柱ユニット、３…回動撮影ユニット、４…回動軸、２０…台座、２２…第１支柱部、２４…第２支柱部、３０…回動撮影ユニット上部、３２…回動撮影ユニット下部、３４…回動撮影ユニット中間部、３００…Ｘ線管、３２０…撮影台、３２１…Ｘ線検出器、３２２Ｒ…右上腕支持部、３２２Ｌ…左上腕支持部、３４０…圧迫機構、３４１…圧迫板、３４２Ｒ…右前腕支持部、３４２Ｌ…左前腕支持部、３４３…操作パネル、ＲＲ１、ＬＬ１…第1のクリアランス領域、ＲＲ２、ＬＬ２…第２のクリアランス領域。
【図１】
2018138145.tif 000003
【図２】
2018138145.tif 000004
【図３】
2018138145.tif 000005
【図４】
2018138145.tif 000006
【図５Ａ】
2018138145.tif 000007
【図５Ｂ】
2018138145.tif 000008
【図６】
2018138145.tif 000009
【図７】
2018138145.tif 000010
【図８】
2018138145.tif 000011
【図９】
2018138145.tif 000012
【図１０】
2018138145.tif 000013
【図１１】
2018138145.tif 000014